(57)【特許請求の範囲】
【請求項１】
駆動シャフトを有する電動歯ブラシハンドル及び前記ハンドルに取り付け可能なアタッチメントの組み合わせであって、前記アタッチメントは：
歯ブラシネックを備えるとともに主軸を持つ細長いボディを有するネック部材であって、前記ネック部材の前記細長いボディは、前記ネック部材の遠位端部から前記ネック部材の前記細長いボディの中に延びる空洞を有する、ネック部材と；
（ｉ）係合面、及び（ｉｉ）前記係合面の反対側に直線変位面を有する、スライド部材と；
細長いボディを有するガイドスリーブ部材であって、前記ガイドスリーブ部材の前記細長いボディは、前記ガイドスリーブ部材の遠位端部から前記ガイドスリーブ部材の前記細長いボディの中に延びる空洞を有し、前記ガイドスリーブ部材はさらに、（ｉ）前記ガイドスリーブ部材の前記細長いボディの内側に向けて配置される係合開口であって前記ガイドスリーブ部材の前記細長いボディに対して横方向に配置された係合開口を持つ、第１の外面、及び（ｉｉ）前記第１の外面の反対側の、移行面を有する第２の外面、を有し、前記スライド部材は、前記ガイドスリーブ部材の前記係合開口の中に、前記係合面から、移動可能に挿入されることができ、前記ガイドスリーブ部材の前記空洞の中で延びることが可能であり、前記ガイドスリーブ部材は、移動可能に挿入された前記スライド部材とともに、前記ネック部材の前記空洞の中に、前記ガイドスリーブ部材の近位端部から、移動可能に挿入されることができ、前記駆動シャフトが（ａ）前記主軸にオフセットされ且つ前記主軸に平行な軸に沿った第１の位置から、前記移行面により、（ｂ）前記主軸と一致する第２の位置になるように、前記ネック部材の前記空洞内の移動可能に挿入された前記スライド部材と一緒の前記ガイドスリーブ部材の前記空洞内に前記駆動シャフトが挿入されるとき、前記駆動シャフトは、前記駆動シャフトから前記ネック部材への力及び運動の少なくとも一方の確実な伝達を可能にするように、前記スライド部材の前記係合面に摩擦接触して保持される、ガイドスリーブ部材と；を有する、
組み合わせ。
【請求項２】
前記駆動シャフトの切り欠き部平面が、前記スライド部材の前記係合面に摩擦接触して保持される、
請求項１に記載の組み合わせ。
【請求項３】
前記ガイドスリーブ部材の前記空洞は、前記ガイドスリーブ部材の前記細長いボディの中を前記遠位端部から前記ガイドスリーブ部材の前記近位端部に近接した部分に延び、
前記空洞の近位端部は、前記ガイドスリーブ部材の中の前記駆動シャフトの挿入のための端部停止部を有する、
請求項１に記載の組み合わせ。
【請求項４】
前記直線変位面は、前記スライド部材の長さ寸法に沿って延び、
さらに、前記ガイドスリーブ部材が、移動可能に挿入された前記スライド部材とともに、前記近位端部から、前記ネック部材の前記空洞の中に、移動可能に挿入されるとき、前記直線変位面は、前記ネック部材の前記空洞の第１の内面に沿って延びるスロットの中に移動可能に嵌め込まれる、
請求項１に記載の組み合わせ。
【請求項５】
さらに、前記スロットは、前記主軸と平行に前記第１の内面に沿って延びる、
請求項４に記載の組み合わせ。
【請求項６】
前記移行面は、前記ガイドスリーブ部材の前記近位端部に近接した第１の部分、前記ガイドスリーブ部材の前記近位端部及び前記遠位端部の中間の移行部分、並びに前記ガイドスリーブ部材の前記遠位端部に近接した第２の部分、を有し、
前記移行部分は、前記ネック部材の前記空洞の第２の内面の相補テーパ面に沿った変位のために移動可能に嵌め込まれる外周テーパ面を有し、
前記相補テーパ面に沿った前記外周テーパ面の変位に応じて、前記移行面の前記第２の部分は、前記主軸にオフセットされ且つ前記主軸に平行である第３の軸に沿った第３の位置と、前記主軸により近い、前記主軸にオフセットされ且つ前記主軸に平行である第４の軸に沿った第４の位置との間で、移動可能に変位させられる、
請求項１に記載の組み合わせ。
【請求項７】
近位端部と遠位端部との間で中に延びる空洞を持つボディを有するカラー部材をさらに有し、
前記カラー部材の前記近位端部は、前記ネック部材の中に前記スライド部材及び前記ガイドスリーブ部材を保持するように前記ネック部材の前記遠位端部に固定して取り付けられるように構成される、
請求項１乃至６のいずれか１項に記載の組み合わせ。
【請求項８】
前記カラー部材の前記空洞は、断面において、前記駆動シャフトが、（ｉ）前記主軸にオフセットされ且つ前記主軸に平行な軸に沿って及び（ｉｉ）前記主軸と一致して、前記カラー部材の前記空洞を通って移動可能に嵌め込まれることを可能にする十分なサイズを有する、
請求項７に記載の組み合わせ。
【請求項９】
さらに、前記カラー部材の前記近位端部は、前記ガイドスリーブ部材の遠位端部表面と協働するように適合され、
前記近位端部は、前記ガイドスリーブ部材の前記移行面の前記第２の部分を前記主軸にオフセットされ且つ前記主軸に平行な前記第３の軸に沿って前記第３の位置に向かって付勢するように、前記ガイドスリーブ部材の前記遠位端部表面の相補テーパ面を移動可能に変位させるテーパ面を含む、
請求項６を引用する請求項７に記載の組み合わせ。
【請求項１０】
さらに、前記カラー部材の前記近位端部は、少なくとも１つのアタッチメント開口を含み、
前記ネック部材の前記遠位端部は、弾性アタッチメントタブの少なくとも１つのペアを含み、
前記弾性アタッチメントタブの少なくとも１つのペアの前記少なくとも１つのアタッチメント開口への挿入に応じて、前記カラー部材は、前記ネック部材に固定して取り付けられる、
請求項７に記載の組み合わせ。
【請求項１１】
前記ネック部材の前記空洞はさらに、前記ネック部材の前記空洞の中に前記空洞の長さ寸法に沿って第１の内面のペア及び第２の内面のペアを有する、
請求項１に記載の組み合わせ。
【請求項１２】
前記第１の内面のペアは、第１の面、及び前記第１の面の反対側の、第２の面を有する、
請求項１１に記載の組み合わせ。
【請求項１３】
前記第１の面は、前記第１の面に沿って延びるとともに中に前記スライド部材の前記直線変位面を移動可能に嵌め込むように適合されるスロットを有する直線移動面を有し、
前記スライド部材の前記係合面は、前記ガイドスリーブ部材が、移動可能に挿入された前記スライド部材とともに、前記ネック部材の前記空洞の中に移動可能に嵌め込まれているとき、前記主軸から所与の距離に維持される、
請求項１２に記載の組み合わせ。
【請求項１４】
前記第２の面は、前記ガイドスリーブ部材の前記移行面に相補的であるように、及び、前記ガイドスリーブ部材が前記ネック部材の前記空洞の中に移動可能に嵌め込まれているとき、前記ガイドスリーブ部材の前記移行面を介して、前記第１の位置と前記第２の位置との間に前記駆動シャフトが移動可能に嵌め込まれることを可能にするように構成される移行面を有する、
請求項１２に記載の組み合わせ。
【請求項１５】
前記第２の内面のペアは、前記ガイドスリーブ部材の第２の外面のペアのためのガイド面を有し、
前記ガイドスリーブ部材の前記第２の外面のペアは、前記ガイドスリーブ部材が前記ネック部材の前記空洞の中に移動可能に嵌め込まれているとき、前記主軸周りに中心を置かれて維持される、
請求項１１に記載の組み合わせ。
【請求項１６】
前記ネック部材の前記細長いボディは、円筒形状の細長いボディを含む、
請求項１に記載の組み合わせ。
【請求項１７】
駆動シャフトを有する電動歯ブラシハンドルにアタッチメントを取り付ける方法であって：
前記アタッチメントは：
主軸を持つ細長いボディを有するネック部材であって、前記ネック部材の前記細長いボディは、前記ネック部材の遠位端部から前記ネック部材の前記細長いボディの中を延びる空洞を有する、ネック部材と；
（ｉ）係合面、及び（ｉｉ）前記係合面の反対側に、直線変位面を有する、スライド部材と；
細長いボディを有するガイドスリーブ部材であって、前記ガイドスリーブ部材の前記細長いボディは、前記ガイドスリーブ部材の遠位端部から前記ガイドスリーブ部材の前記細長いボディの中を延びる空洞を有し、前記ガイドスリーブ部材はさらに、（ｉ）前記ガイドスリーブ部材の前記細長いボディの内側に向けて配置される係合開口であって前記ガイドスリーブ部材の前記細長いボディに対して横方向に配置された係合開口を持つ、第１の外面、及び（ｉｉ）前記第１の外面の反対側の、移行面を有する第２の外面、を有し、前記スライド部材は、前記ガイドスリーブ部材の前記係合開口の中に、前記係合面から、移動可能に挿入されることができ、前記ガイドスリーブ部材の前記空洞の中で延びることが可能であり、前記ガイドスリーブ部材は、移動可能に挿入された前記スライド部材とともに、前記ネック部材の前記空洞の中に、前記ガイドスリーブ部材の近位端部から、移動可能に挿入されることができる、ガイドスリーブ部材と；
を有し、
前記方法は、
前記駆動シャフトが、（ａ）前記主軸にオフセットされ且つ前記主軸に平行な軸に沿った第１の位置から、前記移行面により、（ｂ）前記主軸と一致する第２の位置になるように、前記ネック部材の前記空洞内で移動可能に挿入された前記スライド部材と一緒の前記ガイドスリーブ部材の前記空洞の中に前記駆動シャフトを挿入するステップであって、前記駆動シャフトは、前記駆動シャフトから前記ネック部材への力及び運動の少なくとも一方の確実な伝達を可能にするように、前記スライド部材の前記係合面に摩擦接触して保持される、ステップ；を含む、
方法。
【請求項１８】
カラー部材を介して、前記スライド部材及び前記ガイドスリーブ部材を前記ネック部材の中に保持するステップをさらに含み、
前記カラー部材は、近位端部と遠位端部との間で中に延びる空洞を持つボディを有し、
前記保持するステップは、前記カラー部材の前記近位端部を前記ネック部材の前記遠位端部に固定して取り付けるステップを含む、
請求項１７に記載の方法。
【発明の詳細な説明】
【技術分野】
【０００１】
本実施形態は、概して、電動歯ブラシ、より具体的には、駆動シャフトを有する電動歯ブラシハンドルのためのアタッチメント又はブラシヘッドアセンブリ及び取り付けの方法に関する。
【背景技術】
【０００２】
電動歯ブラシのブラシヘッド部分は、典型的には、電動歯ブラシ器具の駆動シャフト、制御及び動力アセンブリを一般的に含む電動歯ブラシの残りの部分、すなわち、ハンドル部分よりはるかに短い耐用年数を有する。ブラシヘッドは、電動歯ブラシの駆動シャフトを取り外すこと及び挿入することの両方に便利でなければならないが、また、駆動シャフトの力をブラシヘッドに運動の最小の損失で確実に伝達できなければならない。多数の異なる構造配置が、これらの２つの異なる且つ多少矛盾する要件を達成するために使用されている。たいていの場合、ブラシヘッドは、両方の結果を達成する単一の構成を有する、すなわち、それは、必要な力伝達を提供するとともに典型的なユーザによって及ぼされる妥当な量の力で駆動部材（駆動シャフト）に着脱されることができる十分なしまり嵌めを有する。
【発明の概要】
【発明が解決しようとする課題】
【０００３】
したがって、技術分野の問題を克服するための改良された方法及び装置が望まれている。
【課題を解決するための手段】
【０００４】
１つの態様によれば、歯ブラシネックアセンブリが開示され、この歯ブラシネックアセンブリは、歯ブラシネックアセンブリが（ｉ）半径方向及び軸方向運動両方を同時に達成するとともに（ｉｉ）電動歯ブラシハンドル駆動シャフトと歯ブラシネックアセンブリのスライド部材との間の十分な摩擦接触を確保する接続装置を含む。摩擦接触を介して生じる摩擦力が、駆動シャフト部材から歯ブラシネックアセンブリへの力／運動の確実な伝達を保証する。
【０００５】
他の態様によれば、駆動シャフトを有するハンドルに取り付け可能なアタッチメントが、ネック部材、スライド部材、及びガイドスリーブ部材を有する。ネック部材は、主軸を持つ細長いボディを有し、細長いボディは、ネック部材の遠位端部から細長いボディの中を延びる空洞を有する。スライド部材は、（ｉ）係合面、及び（ｉｉ）係合面の反対側に、直線変位面を有する。ガイドスリーブ部材は、ガイドスリーブ部材の遠位端部から細長いボディの中を延びる空洞を有する細長いボディを有する。ガイドスリーブ部材はさらに、（ｉ）細長いボディの内側に向けて配置される係合開口であって細長いボディに対して横方向に（ｔｒａｎｓｖｅｒｓｅ）配置された係合開口を持つ、第１の外面、及び（ｉｉ）第１の外面の反対側の、移行面を有する第２の外面、を有する。スライド部材は、ガイドスリーブ部材の係合開口の中に、最初に係合面から、移動可能に挿入されることができ、ガイドスリーブ部材の空洞の中で延びることが可能（ｅｘｔｅｎｄａｂｌｅ）である。ガイドスリーブ部材は、移動可能に挿入されたスライド部材とともに、ネック部材の空洞の中に、最初に近位端部から、移動可能に挿入される。（ａ）主軸にオフセットされ且つ平行な軸に沿った第１の半径方向位置から（ｂ）主軸と一致する第２の半径方向位置に、移行面により、ネック部材の空洞内で移動可能に挿入されたスライド部材とともにガイドスリーブ部材の空洞の中への駆動シャフトの挿入に応じて、駆動シャフトは、スライド部材の係合面に摩擦接触して保持される。摩擦接触は、駆動シャフトからネック部材への力及び運動の少なくとも一方の確実な伝達を可能にする。
【０００６】
他の態様によれば、駆動シャフトを有する電動歯ブラシハンドルに取り付け可能なアタッチメントが提供される。アタッチメントは、ネック部材、スライド部材、ガイドスリーブ部材、及びカラー部材を有する。ネック部材は、少なくとも歯ブラシネック及び主軸を持つ細長いボディを有し、細長いボディは、ネック部材の遠位端部から細長いボディの中を延びる空洞を有する。スライド部材は、（ｉ）係合面、及び（ｉｉ）係合面の反対側に、直線変位面を有する。ガイドスリーブ部材は、細長いボディを有し、細長いボディは、ガイドスリーブ部材の遠位端部から細長いボディの中を延びる空洞を有する。ガイドスリーブ部材はさらに、（ｉ）細長いボディの内側に向けて配置される係合開口であって細長いボディに対して横方向に配置された係合開口を持つ、第１の外面、及び（ｉｉ）第１の外面の反対側の、移行面を有する第２の外面、を有する。スライド部材は、ガイドスリーブ部材の係合開口の中に、最初に係合面から、移動可能に挿入されることができ、ガイドスリーブ部材の空洞の中で延びることが可能である。ガイドスリーブ部材は、移動可能に挿入されたスライド部材とともに、ネック部材の空洞の中に、最初に近位端部から、移動可能に挿入される。加えて、カラー部材（ｃｏｌｌａｒ  ｍｅｍｂｅｒ）は、近位端部と遠位端部との間でその中に延びる空洞を持つボディを有する。カラー部材の近位端部は、ネック部材の中にスライド部材及びガイドスリーブ部材を取り外し可能に固定するためにネック部材の遠位端部に固定して取り付けられるように構成される。（ａ）主軸にオフセットされ且つ平行な軸に沿った第１の半径方向位置から（ｂ）主軸と一致する第２の半径方向位置に、移行面により、ネック部材の空洞内で移動可能に挿入されたスライド部材とともにカラー部材の空洞及びガイドスリーブ部材の空洞の中への駆動シャフトの挿入に応じて、駆動シャフトは、駆動シャフトからネック部材への力及び運動の少なくとも一方の確実な伝達を可能にするように、スライド部材の係合面に摩擦接触して保持される。
【０００７】
さらに他の態様によれば、駆動シャフトを有する電動歯ブラシハンドルにアタッチメントを取り付ける方法が提供される。方法は、主軸を持つ細長いボディを有するネック部材を提供するステップであって、細長いボディは、ネック部材の遠位端部から細長いボディの中を延びる空洞を有する、ステップ；（ｉ）係合面、及び（ｉｉ）係合面の反対側に、直線変位面を有する、スライド部材を提供するステップ；細長いボディを有するガイドスリーブ部材を提供するステップであって、細長いボディは、ガイドスリーブ部材の遠位端部から細長いボディの中を延びる空洞を有し、ガイドスリーブ部材はさらに、（ｉ）細長いボディの内側に向けて配置される係合開口であって細長いボディに対して横方向に配置された係合開口を持つ、第１の外面、及び（ｉｉ）第１の外面の反対側に、移行面を有する第２の外面、を有し、スライド部材は、ガイドスリーブ部材の係合開口の中に、係合面から、移動可能に挿入されることができ、ガイドスリーブ部材の空洞の中で延びることが可能であり、ガイドスリーブ部材は、移動可能に挿入されたスライド部材とともに、ネック部材の空洞の中に、近位端部から、移動可能に挿入される、ステップ；及び（ａ）主軸にオフセットされ且つ平行な軸に沿った第１の半径方向位置から（ｂ）主軸と一致する第２の半径方向位置に、移行面により、ネック部材の空洞内で移動可能に挿入されたスライド部材とともにガイドスリーブ部材の空洞の中に駆動シャフトを挿入するステップであって、駆動シャフトは、駆動シャフトからネック部材への力及び運動の少なくとも一方の確実な伝達を可能にするように、スライド部材の係合面に摩擦接触して保持される、ステップ；を含む。
【０００８】
さらに他の態様によれば、方法はさらに、カラー部材を介して、スライド部材及びガイドスリーブ部材をネック部材の中に取り外し可能に固定するステップをさらに有し、カラー部材は、近位端部と遠位端部との間でその中に延びる空洞を持つボディを有し、取り外し可能に固定するステップは、カラー部材の近位端部をネック部材の遠位端部に固定して取り付けるステップを含む。
【０００９】
本開示の実施形態は、高い動作周波数及び振動に起因するハンドル駆動シャフトとブラシヘッドとの間の運動損失の問題を有利に解決する。
【００１０】
他の利点は、最小限の努力で駆動シャフトからブラシヘッドの容易な挿入／取り外しを有利に可能にする本開示の実施形態による機構に存在する。
【００１１】
さらなる利点及び利益は、以下の詳細な説明を読み且つ理解することがで、当業者に明らかになるであろう。
【図面の簡単な説明】
【００１２】
本開示の実施形態は、様々な構成要素及び構成要素の配置、並びに様々なステップ及びステップの配置の形態をとり得る。したがって、図面は、様々な実施形態を説明するためのものであり、実施形態を限定するものとして解釈されるべきではない。図面において、同様の参照数字は似たような要素を示す。加えて、図面は、縮尺通りでない可能性があることが留意されるべきである。
【図１】本開示の実施形態による組み立てられたアタッチメント又はブラシネックアセンブリの断面図である。
【図２】（２Ａ、２Ｂ、２Ｃ）本開示の実施形態によるアタッチメントのスライド部材の組み合わされた、上面図、側面図、及び斜視図である。
【図３】（３Ａ、３Ｂ、３Ｃ）本開示の実施形態によるネック部材の細長いボディに沿った組み合わされた断面図、ネック部材の細長いボディに直角の断面図、及びネック部材の側面図である。
【図４】（４Ａ、４Ｂ）本開示の実施形態による電動歯ブラシハンドルの駆動シャフトの組み合わされた側面図及び斜視図である。
【図５】（５Ａ−５Ｆ）本開示の実施形態による、ガイドスリーブ部材の細長いボディに沿った右斜視図、左斜視図、左側面図、断面図、移行側面図、ガイドスリーブ部材の細長いボディに直角の断面図である。
【図６】（６Ａ、６Ｂ、６Ｃ）本開示の実施形態による、カラー部材の組み合わされた側面、上面、及び斜視図である。
【図７】（７Ａ、７Ｂ、７Ｃ、７Ｄ）本開示の実施形態による、アタッチメントのコンポーネント部品のアセンブリの様々な段階の組み合わされた断面図である。
【図８】（８Ａ、８Ｂ、８Ｃ、８Ｄ）本開示の実施形態による、アタッチメント又はブラシネックアセンブリへの駆動シャフトの挿入の様々な段階の組み合わされた断面図である。
【図９】（９Ａ、９Ｂ、９Ｃ、９Ｄ）本開示の実施形態による、アタッチメント又はブラシネックアセンブリからの駆動シャフトの取り外しの様々な段階の組み合わされた断面図である。
【発明を実施するための形態】
【００１３】
本開示の実施形態並びにそれらの様々な特徴及び有利な詳細が、添付の図面に記載され及び／又は示され並びに以下の説明で詳述される非限定的な例を参照して、より完全に説明される。図面に示された特徴が必ずしも縮尺通りに描かれておらず、本明細書に明確に述べられていないとしても、当業者が認識するように、１つの実施形態の特徴は他の実施形態で用いられる得ることが、留意されるべきである。周知のコンポーネント及び処理技法の説明は、本開示の実施形態を不必要に不明瞭にしない為に省略され得る。本明細書で使用される例は、単に、実施形態が実施され得る方法の理解を容易にすること、そして更に、当業者が実施形態を実施できるようにすることを意図する。したがって、本明細書の例は、本開示の実施形態の範囲を限定するものとして解釈されるべきでなく、範囲は、添付の請求項及び適用法令によってのみ定められる。
【００１４】
本開示の実施形態は、本明細書に記載される特定の方法論、プロトコル、デバイス、装置、材料、アプリケーション等は変わり得るためこれらに限定されないことが理解されるべきである。本明細書で使用される用語法は特定の実施形態を記載する目的のみにあり、実施形態の範囲が請求項に記載されるものとして限定することを意図するものではないことも理解されるべきである。本明細書及び特許請求の範囲で使用されるとき、文脈による明白な別段の指示がない限り、単数形「１つの（“ａ”、“ａｎ”）」及び「その（“ｔｈｅ”）」は複数形への言及が含まれることが留意されなければならない。
【００１５】
特に定義されない限り、本明細書で用いられる全ての技術的及び科学的な用語は、本開示の実施形態が属する技術分野における当業者にとって共通に理解されるものと同じ意味を有する。好適な方法、装置、及び材料が記載されているが、本明細書に記載されるものと同様又は均等な任意の方法及び材料が、実施形態の実施又は試験において使用されることができる。
【００１６】
１つの実施形態によれば、電動歯ブラシのアタッチメントが、歯ブラシネック及び電動歯ブラシハンドル駆動シャフトの上に挿入可能である接続アセンブリを含む。接続アセンブリは、ガイドスリーブとともに、歯ブラシネックの中のスロットの中をスライドするスライド部材を含む。歯ブラシネック及び接続アセンブリは、歯ブラシネックの内部円錐テーパ面がガイドスリーブの相補外部テーパ面（ｃｏｍｐｌｅｍｅｎｔａｒｙ  ｅｘｔｅｒｎａｌ  ｔａｐｅｒｅｄ  ｓｕｒｆａｃｅ）を乗り越えるまでガイドスリーブの軸に沿ってハンドル駆動シャフトの上に軸方向に挿入されるとともに動かされる。ガイドスリーブの外部円錐テーパ面を乗り越えることは、歯ブラシネック及び接続アセンブリに半径方向運動を与える。与えられる半径方向運動は、スライド部材の平らな係合面と駆動シャフトの切り欠き部（ｎｏｔｃｈ）の中の平らな面との間の摩擦接触を確立する。スライド部材と駆動シャフトとの間の摩擦接触は、駆動シャフトから歯ブラシネック及び接続アセンブリへの力／運動の確動伝達（ｐｏｓｉｔｉｖｅ  ｔｒａｎｓｆｅｒ）を可能にする。
【００１７】
本開示の実施形態によれば、アタッチメント１０は、図１の組み立てられたアタッチメントの断面図に示されるように、スライド部材１２、ガイドスリーブ部材１４、ネック部材１６及びカラー部材１８を有する。１つの実施形態では、アタッチメント１０は、駆動シャフト（図示せず）を有する電動歯ブラシハンドルとともに使用するためのブラシ１９を含む歯ブラシネックアセンブリを有する。
【００１８】
次に図２を見ると、本開示の実施形態によるアタッチメント１０のスライド部材１２の、上面図、図２Ａ、側面図、図２Ｂ、及び斜視図、図２Ｃが示されている。スライド部材１２は、係合面２２、及び係合面２２と反対側の、直線変位面２４を有する。本明細書にさらに論じられるように、係合面２２は、駆動シャフトからネック部材１６への力及び運動の少なくとも一方の確実な伝達を可能にするために電動歯ブラシハンドルの駆動シャフトと摩擦接触して保持されるように構成される。１つの実施形態では、スライド部材１２の係合面２２は、本明細書で以下にさらに論じられるように、駆動シャフトの切り欠き部の平らな面と摩擦接触して保持されるように構成される。
【００１９】
直線変位面２４は、スライド部材１２のそれぞれの端部の第１と第２の当接面（２６、２８）との間に、スライド部材１２の長さ寸法に沿って延びる。直線変位面２４はさらに、側面の第１のセット（３４、３６）に近接した直線変位面の側部に沿って延びる突出部（２４ａ、２４ｂ）を含む。１つの実施形態では、直線変位面２４及び突出部（２４ａ、２４ｂ）は、本明細書で以下にさらに論じられるように、ネック部材１６の空洞の内面の第１のペアの第１の面に沿って延びるスロットの中に移動可能に嵌められるように構成される。スライド部材１２はさらに、図２Ｂ及び２Ｃに示されるように、スライド部材１２の対応する端部のそれぞれの当接面と係合面２２との間に延びる前方及び後方傾斜面（３０、３２）を有する。加えて、スライド部材１２は、スライド部材１２の長さ寸法に沿って側面（３４、３６）及び（３５、３７）の第１のセット及び第２のセットを有する。
【００２０】
次に図３を参照すると、本開示の実施形態による、ネック部材１６の細長いボディ４０の線Ａ−Ａに沿った断面図、図３Ａ、ネック部材１６の細長いボディ４０に直角な線Ｂ−Ｂに沿った断面図、図３Ｂ、及びネック部材１６の側面図、図３Ｃが示されている。１つの実施形態では、ネック部材１６は、主軸４２を持つ細長いボディ４０を有し、細長いボディ４０は、ネック部材１６の遠位端部から細長いボディの中に延びる空洞４４を有する。１つの実施形態では、空洞４４は、細長いボディの中を、ネック部材１６の近位端部に向かって、遠位端部４６から内側当接面又は端面４７に延びる。他の実施形態では、ネック部材１６の細長いボディ４０は、円筒形状の細長いボディを有する。
【００２１】
加えて、ネック部材１６の空洞４４は、主軸４２に平行且つ空洞４４の長さ寸法に沿って内面（４８、５０）及び（５２、５４）の第１及び第２のペアによって部分的に定められる少なくとも２つの軸を提供する。
【００２２】
内面の第１のペア（４８、５０）は、ネック部材１６の空洞４４の中に、第１の面４８、及び第１の面の反対側の、第２の面５０を有する。第１の面４８はさらに、第１の面に沿って延びるとともにその中にスライド部材１２の直線変位面２４を移動可能に嵌め込む（ｆｉｔｔｉｎｇ）ように適合されるスロットを有する直線移動面を有し、スライド部材１２の係合面２２は、本明細書で以下にさらに論じられるように、ガイドスリーブ部材１４が移動可能に挿入されたスライド部材１２とともに、ネック部材１６の空洞４４の中に移動可能に嵌め込まれていることに応じて、主軸４２から所与の半径方向距離に維持される。第２の面５０は、本明細書で以下にさらに論じられるように、ガイドスリーブ部材１４の移行面に相補的であるように、及び、ガイドスリーブ部材がネック部材１６の空洞４４の中に移動可能に嵌め込まれていることに応じて、ガイドスリーブ部材１４の移行面を介して、第１と第２の半径方向位置との間に駆動シャフトが移動可能に嵌め込まれることを可能にするように構成される移行面を有する。
【００２３】
空洞４４の長さ寸法に沿った内面（５２、５４）の第２のペアは、ガイドスリーブ部材１４の外面の第２のペアのためのガイド面を有し、ガイドスリーブ部材１４の外面の第２のペアは、ガイドスリーブ部材１４がネック部材１６の空洞４４の中に移動可能に嵌め込まれていることに応じて、ネック部材１６の主軸４２周りに中心を置かれて維持される。
【００２４】
図３Ａ及び３Ｃを参照すると、ネック部材１６はさらに、ネック部材１６の遠位端部４６に弾性アタッチメントタブ５６の少なくとも１つのペアを有する。弾性アタッチメントタブ５６の少なくとも１つのペアは、カラー部材１８の近位端部における少なくとも１つのアタッチメント開口への挿入のために構成され、ネック部材１６及びカラー部材１８は、本明細書に以下にさらに論じられるように、互いに固定して取り付けられるようになる。
【００２５】
１つの実施形態では、ネック部材１６は、歯ブラシネック及び電動歯ブラシハンドルの駆動シャフトへの挿入に適合される接続アセンブリを有する。
【００２６】
図４を参照すると、本開示の１つの実施形態による電動歯ブラシハンドル６２の駆動シャフト６０の側面図、図４Ａ及び斜視図、図４Ｂが示されている。駆動シャフト６０は、主軸６４を有する概して円柱状シャフトを有し、図４Ｂの並進移動矢印／回転矢印によって示されるように、駆動シャフトに沿った及び／又は駆動シャフト周りの並進移動及び回転力／運動の少なくとも１つの含む、力及び運動の少なくとも１つを提供するために、ハンドル６２内の適切なモータ又はアクチュエータ（図示せず）に、その遠位端部で、結合される。駆動シャフト６０は、その長さ寸法に沿って配置された切り欠き部６６を含み、切り欠き部は、概して平らな面を有する。切り欠き部６６の端部（６８、７０）は、当接面を含み、当接面６８及び７０はさらに、部分的な傾斜面を有する。加えて、１つの実施形態では、駆動シャフト６０の近位端部７２は、上部平面を含む。他の実施形態では、駆動シャフト６０はさらに、切り欠き部６６と近位端部７２との間に、駆動シャフトの長さ寸法に沿って延びる平らな面を含む。１つの実施形態では、平らな面７４は、主軸６４に平行であり且つ切り欠き部６６の平らな面に平行である。
【００２７】
次に図５を参照すると、本開示の実施形態による、ガイドスリーブ部材１４の主軸８２を有する細長いボディ８０の、右斜視図、図５Ａ、左斜視図、図５Ｂ、左側面図、図５Ｃ、線Ｄ−Ｄに沿った断面図、図５Ｄ、移行側面図、図５Ｅ、及びガイドスリーブ部材１４の細長いボディ８０に直角の、線Ｃ−Ｃに沿った断面図が示されている。細長いボディ８０は、ガイドスリーブ部材１４の遠位端部８６から細長いボディの中に延びる空洞８４を含む。ガイドスリーブ部材１４はさらに、（ｉ）細長いボディ８０の内側に、細長いボディ８０に沿って、及び細長いボディ８０に横方向に配置された係合開口９０を持つ第１の外面８８、並びに（ｉｉ）第１の外面８８の反対側に、移行面を有する第２の外面９２、を含み、スライド部材１２は、ガイドスリーブ部材１４の係合開口９０の中の、最初に係合面２２の、移動可能な挿入に適合され、ガイドスリーブ部材空洞８４の中で延びることが可能である。ガイドスリーブ部材１４は、移動可能に挿入されたスライド部材１２とともに、ネック部材１６の空洞４４の中の、最初に近位端部の、移動可能な挿入に適合される。本明細書に以下にさらに論じられるように、（ａ）主軸とオフセットされ且つ平行な軸に沿った第１の半径方向位置から（ｂ）主軸と一致する第２の半径方向位置に、移行面９２による、ネック部材１６の空洞４４内での移動可能に挿入されたスライド部材１２とともにガイドスリーブ部材１４の空洞８４の中への駆動シャフト６０の挿入に応じて、駆動シャフトは６０、駆動シャフト６０からネック部材１６への力及び運動の少なくとも一方の確実な伝達を可能にするように、スライド部材１２の係合面２２との摩擦接触に保持される。
【００２８】
１つの実施形態では、ガイドスリーブ部材１４の空洞８４は、ガイドスリーブ部材の細長いボディ８０の中でガイドスリーブ部材１４の遠位端部８６から近位端部９４に延びる。空洞の近位端部は、ガイドスリーブ部材１４の中の駆動シャフト６０の挿入のための端部停止部９６を有する。図５Ｄ参照。
【００２９】
１つの実施形態では、移行面９２は、（ｉ）ガイドスリーブ部材１４の近位端部９４に近接した第１の部分９８、（ｉｉ）ガイドスリーブ部材１４の近位及び遠位端部の中間の移行部分１００並びに（ｉｉｉ）ガイドスリーブ部材１４の遠位端部８６に近接した第２の部分１０２、を有する。移行部分１００は、ネック部材１６の空洞４４の第２の内面５０の相補テーパ面１０６に沿った変位のために移動可能に嵌め込まれる外周テーパ面を有する。１つの実施形態では、相補テーパ面１０６に沿った外周テーパ面１００の変位に応じて、移行面９２の第２の部分１０２は、主軸４２にオフセットされ且つ平行である第３の軸３ａ（図８Ａ及び８Ｂ参照）に沿った第１の半径方向位置と、主軸４２により近い、主軸にオフセットされ且つ平行である第４の軸４ａ（図８Ｃ及び８Ｄ参照）に沿った第２の半径方向位置との間で、移動可能に変位させられる。
【００３０】
図６を参照すると、本開示の実施形態によるカラー部材１８の、側面図、図６Ａ、上面図、図６Ｂ、及び斜視図、図６Ｃが示されている。カラー部材１８は、近位端部１１４と遠位端部１１６との間でその中に延びる空洞１１２を持つボディ１１０を含む。１つの実施形態では、カラー部材１８の近位端部１１４は、本明細書に図７を参照して論じられるように、ネック部材１６の中でスライド部材１２及びガイドスリーブ部材１４を取り外し可能に固定するためにネック部材１６の遠位端部４６に固定して取り付けられるように構成される。
【００３１】
図６Ｂを参照すると、１つの実施形態では、カラー部材１８の空洞１１２は、断面において、駆動シャフト６０の断面が、（ｉ）主軸４２にオフセットされ且つ平行な軸に沿って及び（ｉｉ）主軸４２と一致して、カラー部材１８の空洞１１２を通って移動可能に嵌め込まれることを可能にする十分なサイズを有する。言い換えると、駆動シャフトのアタッチメント又はブラシネックアセンブリ１０からの挿入又は取り外しの１つの部分の間、駆動シャフト６０の断面は、主軸４２にオフセットされ且つ平行な軸に沿ってカラー部材１８の空洞１１２を通って移動可能に嵌め込まれる。駆動シャフトのアタッチメント又はブラシネックアセンブリ１０からの挿入又は取り外しの他の部分では、駆動シャフト６０の断面は、主軸４２と一致する軸に沿って空洞１１２を通って移動可能に嵌め込まれる。
【００３２】
他の実施形態では、カラー部材１８の近位端部１１４は、ガイドスリーブ部材１４の遠位端部８６表面と協働するように適合される。例えば、近位端部１１４は、ガイドスリーブ部材１４の移行面９２の第２の部分１０２を主軸４２にオフセットされ且つ平行な第３の軸（図８Ａ及び８Ｂ参照）に沿って第１の半径方向位置に向かって付勢するように、ガイドスリーブ部材１４の遠位端部８６表面の相補テーパ面１２０を移動可能に変位させるテーパ面１１８を含む。１つの実施形態では、カラー部材１８はさらに、ネック部材１６の遠位端部４６において空洞４４の内面に相補的である（ｃｏｍｐｌｅｍｅｎｔ）近位端部１１４に外面１２４を有する（図１、６Ａ−６Ｃ、７Ａ−７Ｄ及び８Ａ−８Ｄ参照）。
【００３３】
まだ図６Ａ、６Ｂ及び６Ｃを参照すると、カラー部材１８の近位端部１１４はさらに、少なくとも１つのアタッチメント開口１２２を含む。先に論じたように、ネック部材１６の遠位端部４６は、弾性アタッチメントタブ５６の少なくとも１つのペアを含む（図３Ａ参照）。弾性アタッチメントタブ５６の少なくとも１つのペアの少なくとも１つのアタッチメント開口１２２への挿入に応じて、カラー部材１８は、ネック部材１６に固定して取り付けられる。
【００３４】
次に図７に目を向けると、本開示の実施形態によるアタッチメント１０の構成部品の組み立ての様々な段階での、幾つかの分解斜視図、図７Ａ、図７Ｂ、図７Ｃ及び図７Ｄが示されている。特に、図７Ａは、スライド部材１２、ガイドスリーブ部材１４、ネック部材１６及びカラー部材１８を含むアタッチメント１０の分解斜視図を示す。図７Ｂでは、スライド部材１２は、ガイドスリーブ部材１４の係合開口９８の中に、最初に係合面２２が、移動可能な挿入され、ガイドスリーブ部材空洞８４の少なくとも一部の中で延びることが可能である。図７Ｃでは、ガイドスリーブ部材１４は、移動可能に挿入されたスライド部材１２とともに、ネック部材１６の空洞４４の中に、最初に近位端部が、移動可能な挿入される。加えて、ガイドスリーブ部材１４が、移動可能に挿入されたスライド部材１２とともに、ネック部材１６の空洞４４の中に、最初に近位端部を、移動可能な挿入されていることに応じて、スライド部材１２の直線変位面２４は、ネック部材１６の空洞４４の第１の内面４８に沿って延びるスロット４９（図３Ｂ）の中に移動可能に嵌め込まれている。図７Ｄでは、カラー部材１８の近位端部１１４は、スライド部材１２及びガイドスリーブ部材１４をネック部材１６の中に移動可能に保持するために、ネック部材１６の遠位端部４６に固定して取り付けられる。
【００３５】
他の実施形態では、歯ブラシネック及び接続アセンブリは、スライド部材１２、ガイドスリーブ部材１４及びネック部材１６を有する。スライド部材１２は、図７Ｂに示されるように、面９１（図５Ｃ及び５Ｄ）上でガイドスリーブ部材１４の上に置かれる。突出部が直線変位面２４に対応するとともに突出部（２４ａ、２４ｂ）が側面（３４、３６）の第１のセットに近接して直線変位面の側部に沿って延びる（図２Ａ）、突出部を有するスライド部材１２は、ネック部材１６のスロット４９の中に挿入される。ガイドスリーブ部材１４の、互いに反対側の、外面９３（図５Ｆ）は、ネック部材１６の空洞４４の内面５２と５４との間でスライド接触している。カラー部材１８の外面１２４は、ネック部材１６の遠位端部４６で内面と結合する（とともに、カラー部材１８の近位端部で少なくとも１つのアタッチメント開口の中に挿入されるネック部材１６の遠位端部４６で弾性アタッチメントタブ５６の少なくとも１つのペアを介して固定して取り付けられる）。スライド部材１２及びガイドスリーブ部材１４は、初期位置においてカラー部材１８の上に載る（図１参照）。
【００３６】
次に図８を参照すると、本開示の実施形態による駆動シャフト６０のアタッチメント又はブラシネックアセンブリ１０への挿入の様々な段階での、断面図（図８Ａ、８Ｂ、８Ｃ、８Ｄ）が示されている。図８Ａは、駆動シャフト６０の上に挿入されているアタッチメント又は歯ブラシネックアセンブリ１０の初期位置を示す。駆動シャフト６０の上部平面７２は、ガイドスリーブ部材１４の内面９６と接触している。アタッチメント又は歯ブラシネックアセンブリ１０はその後さらに駆動シャフト６０の上に押し込まれ、ガイドスリーブ部材１４の外周テーパ面１００が、ネック部材１６の適合するテーパ面１０６と係合する（図８Ｂ）。アタッチメント又は歯ブラシネックアセンブリ１０はその後、さらに押し下げられ（図８Ｂから図８Ｃ）、アタッチメント１０は、面１００及び１０６が接触し、その後ガイドスリーブ部材１４の円筒面１０２がネック部材１６の内面５０と接触する（図３Ｂ及び３Ｃ）まで、右へ動く。アタッチメント又は歯ブラシネックアセンブリ１０の運動は、ガイドスリーブ部材１４の上部平面９４がネック部材１６の内側当接又は端面４７と接触するまで続く。図８Ａ乃至８Ｄに示される運動の間、スライド部材１２の平らな係合面２２は、駆動シャフト６０の切り欠き部の平らな面６６と、摩擦接触するようになり、摩擦接触で保持される。結果として、駆動シャフトを動かす力は、アタッチメント又は歯ブラシネックアセンブリ１０を介してはブラシヘッドに、確動的に、有利に伝達される。
【００３７】
図９を参照すると、本開示の実施形態による駆動シャフト６０のアタッチメント又はブラシネックアセンブリ１０からの取り外しの様々な段階における断面図（図９Ａ、９Ｂ、９Ｃ、９Ｄ）が示されている。アタッチメント又はブラシネックアセンブリ１０が取り外されることになるとき、ブラシネックアセンブリ１０は、駆動シャフト６０から単純に引き離され、駆動シャフト６０の切り欠き部６６の表面７０はスライド部材１２の傾斜面３２と接触するようになる。さらに引かれるとき、スライド部材１２の底面２６はガイドスリーブ部材１４の面９１を押し、このガイドスリーブ部材１４は、カラー部材１８のテーパ面１１８に相補的になるとともにアタッチメント又はブラシネックアセンブリ１０を左に向かって動かすテーパ面１２０を有し、係合平面２２は、駆動シャフト部材６０の切り欠き部６６の平らな面との摩擦係合を失う。駆動シャフトはその後、ネック部材１６の主軸に平行且つオフセットされた軸に沿ってアタッチメント又はブラシネックアセンブリ１０を出る。
【００３８】
他の実施形態によれば、駆動シャフトを有する電動歯ブラシハンドルに取り付け可能なアタッチメントが、ネック部材、スライド部材、ガイドスリーブ部材、及びカラー部材を有する。ネック部材は、歯ブラシネックを有するとともに主軸を持つ細長いボディを含み、細長いボディは、ネック部材の遠位端部から細長いボディの中を延びる空洞を有する。スライド部材は、（ｉ）係合面、及び（ｉｉ）係合面の反対側に、直線変位面を有する。ガイドスリーブ部材は、細長いボディを有し、細長いボディは、ガイドスリーブ部材の遠位端部から細長いボディの中を延びる空洞を有する。ガイドスリーブ部材はさらに、（ｉ）細長いボディの内側に向けて配置される係合開口であって細長いボディに対して横方向に配置された係合開口を持つ、第１の外面、及び（ｉｉ）第１の外面の反対側の、移行面を有する第２の外面、を有する。スライド部材は、ガイドスリーブ部材の係合開口の中に、最初に係合面から、移動可能に挿入されることができ、ガイドスリーブ部材空洞の中で延びることが可能である。ガイドスリーブ部材は、移動可能に挿入されたスライド部材とともに、ネック部材の空洞の中に、最初に近位端部から、移動可能に挿入される。カラー部材は、近位端部と遠位端部との間でその中に延びる空洞を持つボディを有する。カラー部材の近位端部は、ネック部材の中にスライド部材及びガイドスリーブ部材を取り外し可能に固定するためにネック部材の遠位端部に固定して取り付けられるように構成される。（ａ）主軸にオフセットされ且つ平行な軸に沿った第１の半径方向位置から（ｂ）主軸と一致する第２の半径方向位置に、移行面により、ネック部材の空洞内で移動可能に挿入されたスライド部材とともにカラー部材の空洞及びガイドスリーブ部材の空洞の中への駆動シャフトの挿入に応じて、駆動シャフトは、駆動シャフトからネック部材への力及び運動の少なくとも一方の確実な伝達を可能にするように、スライド部材の係合面に摩擦接触して保持される。
【００３９】
さらに他の実施形態では、駆動シャフトを有する電動歯ブラシハンドルにアタッチメントを取り付ける方法は、主軸を持つ細長いボディを有するネック部材を提供するステップであって、細長いボディは、ネック部材の遠位端部から細長いボディの中を延びる空洞を有する、ステップを含む。方法はさらに、（ｉ）係合面、及び（ｉｉ）係合面の反対側に、直線変位面を有する、スライド部材を提供するステップを含む。またさらに、方法は、細長いボディを有するガイドスリーブ部材を提供するステップであって、細長いボディは、ガイドスリーブ部材の遠位端部から細長いボディの中を延びる空洞を有し、ガイドスリーブ部材はさらに、（ｉ）細長いボディの内側に向けて配置される係合開口であって細長いボディに対して横方向に配置された係合開口を持つ、第１の外面、及び（ｉｉ）第１の外面の反対側の、移行面を有する第２の外面、を有し、スライド部材は、ガイドスリーブ部材の係合開口の中に、係合面から、移動可能に挿入されることができ、ガイドスリーブ部材の空洞の中で延びることが可能であり、ガイドスリーブ部材は、移動可能に挿入されたスライド部材とともに、ネック部材の空洞の中に、近位端部から、移動可能に挿入される、ステップを含む。またさらに、方法は、（ａ）主軸にオフセットされ且つ平行な軸に沿った第１の半径方向位置から、移行面により、（ｂ）主軸と一致する第２の半径方向位置に、ネック部材の空洞内で移動可能に挿入されたスライド部材と一緒のガイドスリーブ部材の空洞の中に駆動シャフトを挿入するステップであって、駆動シャフトは、駆動シャフトからネック部材への力及び運動の少なくとも一方の確実な伝達を可能にするように、スライド部材の係合面に摩擦接触して保持される、ステップを含む。他の実施形態では、方法はさらに、カラー部材を介して、スライド部材及びガイドスリーブ部材をネック部材の中に取り外し可能に保持するステップをさらに含み、カラー部材は、近位端部と遠位端部との間でその中に延びる空洞を持つボディを有し、取り外し可能に保持するステップは、カラー部材の近位端部をネック部材の遠位端部に固定して取り付けるステップを含む。
【００４０】
確認された問題を解決するために本明細書に開示され、結果として生じる利点を提供する、手段／装置機能は、次の１又は複数を含む：ブラシネック部材の円錐テーパ面のガイドスリーブ部材の上への乗り越え；駆動シャフトへのブラシネック部分の挿入の間のブラシネック部分（すなわち、ブラシヘッドアセンブリ）の同時の、すなわち、軸方向及び半径方向両方の、運動；駆動シャフトの平らな面（すなわち、駆動シャフトの切り欠き部）とスライド部材との間に加えられる摩擦力；及び回転質量の一様な分布を確実にするブラシネック部材軸及び電動歯ブラシハンドル軸両方の整列。
【００４１】
ほんのわずかな例示的な実施形態が上で詳細に記載されているが、当業者は、多くの変形形態が、本開示の実施形態の新規な教示及び利点から実質的に逸脱することなしに例示的な実施形態において可能であることを容易に理解するであろう。例えば、本開示の実施形態は、電動歯ブラシ応用に有利に使用されることができる。したがって、全てのこのような修正形態は、以下の請求項に定められるように、本開示の実施形態の範囲の中に含まれることが意図される。請求項において、ミーンズプラスファンクションクローズ（ｍｅａｎｓ‐ｐｌｕｓ‐ｆｕｎｃｔｉｏｎ  ｃｌａｕｓｅ）は、記載された機能を実行すると本明細書に記述された構造、並びに構造均等物だけでなく、均等構造をもカバーすることが意図される。
【００４２】
加えて、１又は複数の請求項の括弧内に置かれた如何なる参照符号も、請求項を限定するものとして解釈されるべきではない。用語「有する、含む（“ｃｏｍｐｒｉｓｉｎｇ”及び“ｃｏｍｐｒｉｓｅｓ”）等は、任意の請求項又は明細書全体において挙げられたもの以外の要素又はステップの存在を除外しない。要素の単数の言及は、そのような要素の複数の言及を除外せず、逆もまた同様である。本開示の１又は複数は、幾つかの個別要素を有するハードウェアを用いて、及び／又は適切にプログラムされたコンピュータを用いて、実装され得る。幾つかの手段を列挙する装置の請求項において、これらの手段の幾つかはハードウェアの全く同じアイテムによって具体化され得る。ある手段が相互に異なる従属請求項に列挙されているという単なる事実は、これらの手段の組み合わせが有利に使用されることができないことを示すものではない。
【図１】
0006445550.tif 000002
【図２Ａ】
0006445550.tif 000003
【図２Ｂ】
0006445550.tif 000004
【図２Ｃ】
0006445550.tif 000005
【図３Ａ】
0006445550.tif 000006
【図３Ｂ】
0006445550.tif 000007
【図３Ｃ】
0006445550.tif 000008
【図４Ａ】
0006445550.tif 000009
【図４Ｂ】
0006445550.tif 000010
【図５Ａ】
0006445550.tif 000011
【図５Ｂ】
0006445550.tif 000012
【図５Ｃ】
0006445550.tif 000013
【図５Ｄ】
0006445550.tif 000014
【図５Ｅ】
0006445550.tif 000015
【図５Ｆ】
0006445550.tif 000016
【図６】
0006445550.tif 000017
【図７Ａ】
0006445550.tif 000018
【図７Ｂ】
0006445550.tif 000019
【図７Ｃ】
0006445550.tif 000020
【図７Ｄ】
0006445550.tif 000021
【図８Ａ】
0006445550.tif 000022
【図８Ｂ】
0006445550.tif 000023
【図８Ｃ】
0006445550.tif 000024
【図８Ｄ】
0006445550.tif 000025
【図９Ａ】
0006445550.tif 000026
【図９Ｂ】
0006445550.tif 000027
【図９Ｃ】
0006445550.tif 000028
【図９Ｄ】
0006445550.tif 000029